(57)【特許請求の範囲】
【請求項１】
ディスク形状のディスク記憶媒体と、該ディスク記憶媒体をアクセスするディスクドライブとからなるディスクドライブシステムにおいて、
１以上の小型記憶媒体を装着可能なメディアカートリッジを備え、
前記ディスクドライブに、前記メディアカートリッジに装着した前記小型記憶媒体に対してアクセスするアクセス手段と、前記ディスク記憶媒体及び前記メディアカートリッジを回転させるディスク回転軸とを備え、
前記ディスクドライブの前記回転軸により前記メディアカートリッジを回転させることにより、前記アクセス手段と前記メディアカートリッジに装着された前記小型記憶媒体とを位置決めすることを特徴とするディスクドライブシステム。
【請求項２】
前記メディアカートリッジに、前記小型記憶媒体の位置検出用の被検出部を設け、
前記ディスクドライブ側に、前記メディアカートリッジの前記被検出部を検出する位置検出手段を設けたことを特徴とする請求項１に記載のディスクドライブシステム。
【請求項３】
前記被検出部は、
前記メディアカートリッジの円盤面上の、前記小型記憶媒体の装着位置に対応して設けられた爪部で構成され、
前記位置決定手段は、
前記爪部による接触を検知するマイクロスイッチで構成されることを特徴とする請求項２に記載のディスクドライブシステム。
【請求項４】
前記ディスクドライブは、
前記メディアカートリッジ及び前記ディスク記憶媒体に対し、所定の回転速度で回転させるディスク回転軸と、
前記ディスク記憶媒体に対するアクセスを実行するディスク記憶媒体アクセス部と、
前記メディアカートリッジに装着した前記小型記憶媒体に対するアクセスを実行するアクセス部と、
装着されたメディアが、前記メディアカートリッジと前記ディスク記憶媒体のいずれかであるかを識別する識別手段を備えることを特徴とする請求項１から請求項３のいずれか１つに記載のディスクドライブシステム。
【請求項５】
前記メディアカートリッジは、
円盤面内に前記小型記憶媒体を装着する取り付け部を複数備え、
各前記取り付け部を、前記メディアカートリッジの中心から等しい位置に配置することを特徴とする請求項１から請求項４のいずれか１つに記載のディスクドライブシステム。
【請求項６】
前記メディアカートリッジは、
４個の前記取り付け部を備え、
前記取り付け部を等しく前記メディアカートリッジの中心に対し９０度毎に配置することを特徴とする請求項５に記載のディスクドライブシステム。
【請求項７】
各前記取り付け部は、
各前記取り付け部を一意に識別する情報を示す識別部を備え、
前記ディスクドライブは、
前記識別部によって各前記取り付け部を識別する識別手段を備えることを特徴とする請求項５又は請求項６のいずれか１つに記載のディスクドライブシステム。
【請求項８】
各前記識別部は、
複数の端子を組み合わせて構成され、
前記識別手段は、
前記端子の組み合わせに基づいて、各前記取り付け部を個別に識別することを特徴とする請求項７に記載のディスクドライブシステム。
【請求項９】
各前記識別部は、
所定のパターンから構成され、
前記識別手段は、
前記パターンを光学的に読み取って前記取り付け部を個別に識別する手段からなることを特徴とする請求項７に記載のディスクドライブシステム。
【請求項１０】
前記識別部は、
各前記取り付け部を個別に識別する情報を前記メディアカートリッジの面上に設けた物理的形状によって構成し、
前記識別手段は、
前記物理的形状の違いに基づいて、各前記取り付け部を個別に識別することを特徴とする請求項７に記載のディスクドライブシステム。
【請求項１１】
前記小型記憶媒体を、スマートメディアとすることを特徴とする請求項１から請求項１０のいずれか一つに記載のディスクドライブシステム。
【請求項１２】
前記ディスクドライブが、光ディスクドライブであり、前記ディスク記憶媒体が光ディスクであることを特徴とする請求項１から請求項１１のいずれか１つに記載のディスクドライブシステム。
【請求項１３】
ディスク形状のディスク記憶媒体及び１以上の小型記憶媒体を装着可能なメディアカートリッジをアクセスするディスクドライブにおいて、
前記ディスク記憶媒体及び前記メディアカートリッジを回転させるディスク回転軸と、
前記メディアカートリッジに装着した前記小型記憶媒体に対してアクセスするアクセス手段とを備え、
前記回転軸により前記メディアカートリッジを回転させることにより、前記アクセス手段と前記メディアカートリッジに装着された前記小型記憶媒体とを位置決めすることを特徴とするディスクドライブ。
【請求項１４】
ディスク記憶媒体をアクセスするディスクドライブに装着されるメディアカートリッジにおいて、
前記ディスクドライブに設けたアクセス手段によってアクセス可能に、前記小型記憶媒体を保持する１以上の取り付け部と、
前記ディスクドライブ側に設けた位置検出手段によって前記小型記憶媒体の位置を検出するための位置検出用の被検出部とを有することを特徴とするメディアカートリッジ。
【請求項１５】
前記被検出部は、
前記メディアカートリッジの円盤面上の、前記小型記憶媒体の装着位置に対応して設けられた爪部で構成されることを特徴とする請求項１４に記載のメディアカートリッジ。
【請求項１６】
ディスク記憶媒体をアクセスするディスクドライブに装着されるメディアカートリッジにおいて、
前記ディスクドライブに設けたアクセス手段によってアクセス可能に、前記小型記憶媒体を保持する複数の取り付け部を有し、
前記複数の取り付け部の各々を、前記メディアカートリッジの回転の中心から等しい位置に配置することを特徴とするメディアカートリッジ。
【請求項１７】
４個の前記取り付け部を備え、
前記取り付け部を等しく前記メディアカートリッジの中心に対し９０度毎に配置することを特徴とする請求項１６に記載のメディアカートリッジ。
【請求項１８】
各前記取り付け部に、前記ディスクドライブの識別手段によって各前記取り付け部を一意に識別する情報を示す識別部を設けたことを特徴とする請求項１４から請求項１７のいずれか１つに記載のメディアカートリッジ。
【請求項１９】
各前記識別部は、
複数の端子を組み合わせて構成されることを特徴とする請求項１８に記載のメディアカートリッジ。
【請求項２０】
各前記識別部は、前記ディスクドライブの識別手段によって光学的に読み取って前記取り付け部を識別するための所定のパターンから構成されることを特徴とする請求項１８に記載のメディアカートリッジ。
【請求項２１】
前記識別部は、
各前記取り付け部を個別に識別する情報を前記メディアカートリッジの面上に設けた物理的形状によって構成したことを特徴とする請求項１８に記載のメディアカートリッジ。
【請求項２２】
前記小型記憶媒体を、スマートメディアとすることを特徴とする請求項１４から請求項２１のいずれか一つに記載のメディアカートリッジ。
【発明の詳細な説明】
【０００１】
【発明が属する技術分野】
本発明は、光ディスク等のディスク状記憶媒体のアクセスを行なうディスクドライブシステムに関し、特に、ディスク状記録媒体だけでなく、スマートメディア等の小型記録媒体のアクセスも可能とするディスクドライブシステムに関する。
【０００２】
【従来の技術】
近年、いわゆるスマートメディア（ＳｍａｒｔＭｅｄｉａ：ＳＳＦＤＣ（Ｓｏｌｉｄ  Ｓｔａｔｅ  Ｆｌｏｐｐｙ  Ｄｉｓｋ  Ｃａｒｄ））を記録媒体とした各種の装置が広く提供されている。
【０００３】
このスマートメディアは、軽量（２ｇ）で薄い小型（縦４５ｍｍ、横３７ｍｍ、高さ０．７６ｍｍ）のフラッシュメモリカードであり、シンプルな構造であり、持ち運びが容易で、デジタルカメラをはじめとする携帯情報端末のリムーバブル記憶媒体として用いられている。
【０００４】
また、これら応用製品の小型化に適している他、手帳やパスケースにはさんで携行できるなど携帯性に優れている。
【０００５】
また、スマートメディアのデータの読み書きは、デジタル電子スチルカメラや携帯情報端末に限られず、パソコン等においてもスマートメディア用のアクセス装置を接続したり、又ＰＣカードのスロットからアダプターを介することで行なわれている。
【０００６】
しかし、パソコンに外付けのアクセス装置を接続することは、装置や接続コードのためにスペースを要すると共に、接続のために手間がかかる。また、内蔵の場合よりも電力をより多く消費する等の不便な点がある。
【０００７】
また、スマートメディアのアクセス装置を内蔵することは、パソコン等の情報機器は内部に装置を搭載するための取り付けスペースが限られているため、パソコン本体の大型化や価格が高価になる等の不便な点がある。また、ＰＣカード用のスロットについても、同様の理由でほとんどのデスクトップパソコンに標準では搭載されていないため、それを利用するにはＰＣカード用のアクセス装置を追加する必要がある。
【０００８】
従来のこの問題点に対する技術が、例えば、実用新案登録第３０６００５５号に開示されている。この実用新案登録第３０６００５５号では、多くのデスクトップパソコンにおいて、本体の正面にある周辺機器用の取り付けスペース（ベイ）を利用してＦＤＤドライブを設置していることを利用し、このＦＤＤドライブにスマートメディア用のドライブを内蔵し、フロッピィディスクの挿入口とスマートメディアの挿入口を上下に併設する複合ＦＤＤ装置が提案されている。
【０００９】
【発明が解決しようとする課題】
上述したように従来においては、以下に述べるような問題点があった。
【００１０】
従来では、スマートメディアのアクセスのための専用の装置をパソコンに外付けあるいは内蔵することで取り付けているが、その他のディスクドライブ装置と並存させる必要から、パソコンの設置スペースあるいはパソコン本体内部の空きスペースを圧迫することになる。後からスマートメディアのアクセスのための専用の装置を取り付ける場合には、パソコン等の情報機器において取り付けスペースの確保が難しい場合も多い。
【００１１】
また、上述の実用新案登録番号第３０６００５５号に開示された従来技術では、ＦＤＤドライブにスマートメディア用のドライブを内蔵しているが、通常のＦＤＤドライブと異なる専用の仕様であり、通常のＦＤＤドライブに変えて簡単に取り付けることができないと共に、スマートメディアを１枚ずつ挿入してアクセスするので効率が悪い。
【００１２】
本発明の目的は、上記従来の欠点を解消し、ディスクドライブ分のスペースで光ディスクメディア、スマートメディアの両方をアクセスできるようして、パソコン等の情報機器での装置搭載スペースを小さくできるディスクドライブシステムを提案することにある。
【００１３】
また、本発明の他の目的は、複数枚のスマートメディアを装着してスマートメディアチェンジャーの機能を実現することで、複数のスマートメディアを効率的なアクセスできるディスクドライブシステムを提案することにある。
【００１４】
【課題を解決するための手段】
上記目的を達成する本発明は、ディスク形状のディスク記憶媒体と、該ディスク記憶媒体をアクセスするディスクドライブとからなるディスクドライブシステムにおいて、１以上の小型記憶媒体を装着可能なメディアカートリッジを備え、前記ディスクドライブに、前記メディアカートリッジに装着した前記小型記憶媒体に対してアクセスするアクセス手段と、前記ディスク記憶媒体及び前記メディアカートリッジを回転させるディスク回転軸とを備え、前記ディスクドライブの前記回転軸により前記メディアカートリッジを回転させることにより、前記アクセス手段と前記メディアカートリッジに装着された前記小型記憶媒体とを位置決めすることを特徴とする。
【００１５】
請求項２に記載のディスクドライブシステムは、前記メディアカートリッジに、前記小型記憶媒体の位置検出用の被検出部を設け、前記ディスクドライブ側に、前記メディアカートリッジの前記被検出部を検出する位置検出手段を設けたことを特徴とする。
【００１６】
請求項３に記載のディスクドライブシステムは、前記被検出部は、前記メディアカートリッジの円盤面上の、前記小型記憶媒体の装着位置に対応して設けられた爪部で構成され、前記位置決定手段は、前記爪部による接触を検知するマイクロスイッチで構成されることを特徴とする。
【００１７】
請求項４に記載のディスクドライブシステムは、前記ディスクドライブは、前記メディアカートリッジ及び前記ディスク記憶媒体に対し、所定の回転速度で回転させるディスク回転軸と、前記ディスク記憶媒体に対するアクセスを実行するディスク記憶媒体アクセス部と、前記メディアカートリッジに装着した前記小型記憶媒体に対するアクセスを実行するアクセス部と、装着されたメディアが、前記メディアカートリッジと前記ディスク記憶媒体のいずれかであるかを識別する識別手段を備えることを特徴とする。
【００１８】
請求項５に記載のディスクドライブシステムは、前記メディアカートリッジは、円盤面内に前記小型記憶媒体を装着する取り付け部を複数備え、各前記取り付け部を、前記メディアカートリッジの中心から等しい位置に配置することを特徴とする。
【００１９】
請求項６に記載のディスクドライブシステムは、前記メディアカートリッジは、４個の前記取り付け部を備え、前記取り付け部を等しく前記メディアカートリッジの中心に対し９０度毎に配置することを特徴とする。
【００２０】
請求項７に記載のディスクドライブシステムは、各前記取り付け部は、各前記取り付け部を一意に識別する情報を示す識別部を備え、前記ディスクドライブは、前記識別部によって各前記取り付け部を識別する識別手段を備えることを特徴とする。
【００２１】
請求項８に記載のディスクドライブシステムは、各前記識別部は、複数の端子を組み合わせて構成され、前記識別手段は、前記端子の組み合わせに基づいて、各前記取り付け部を個別に識別することを特徴とする。
【００２２】
請求項９に記載のディスクドライブシステムは、各前記識別部は、所定のパターンから構成され、前記識別手段は、前記パターンを光学的に読み取って前記取り付け部を個別に識別する手段からなることを特徴とする。
【００２３】
請求項１０に記載のディスクドライブシステムは、前記識別部は、各前記取り付け部を個別に識別する情報を前記メディアカートリッジの面上に設けた物理的形状によって構成し、前記識別手段は、前記物理的形状の違いに基づいて、各前記取り付け部を個別に識別することを特徴とする。
【００２４】
請求項１１に記載のディスクドライブシステムは、前記小型記憶媒体を、スマートメディアとすることを特徴とする。
【００２５】
請求項１２に記載のディスクドライブシステムは、前記ディスクドライブが、光ディスクドライブであり、前記ディスク記憶媒体が光ディスクであることを特徴とする。
【００２６】
請求項１３に記載のディスクドライブは、ディスク形状のディスク記憶媒体及び１以上の小型記憶媒体を装着可能なメディアカートリッジをアクセスするディスクドライブにおいて、前記ディスク記憶媒体及び前記メディアカートリッジを回転させるディスク回転軸と、前記メディアカートリッジに装着した前記小型記憶媒体に対してアクセスするアクセス手段とを備え、前記回転軸により前記メディアカートリッジを回転させることにより、前記アクセス手段と前記メディアカートリッジに装着された前記小型記憶媒体とを位置決めすることを特徴とする。
【００２７】
請求項１４に記載のメディアカートリッジは、ディスク記憶媒体をアクセスするディスクドライブに装着されるメディアカートリッジにおいて、前記ディスクドライブに設けたアクセス手段によってアクセス可能に、前記小型記憶媒体を保持する１以上の取り付け部と、前記ディスクドライブ側に設けた位置検出手段によって前記小型記憶媒体の位置を検出するための位置検出用の被検出部とを有することを特徴とする。
【００２８】
請求項１５に記載のメディアカートリッジは、前記被検出部は、前記メディアカートリッジの円盤面上の、前記小型記憶媒体の装着位置に対応して設けられた爪部で構成されることを特徴とする。
【００２９】
請求項１６に記載のメディアカートリッジは、ディスク記憶媒体をアクセスするディスクドライブに装着されるメディアカートリッジにおいて、前記ディスクドライブに設けたアクセス手段によってアクセス可能に、前記小型記憶媒体を保持する複数の取り付け部を有し、前記複数の取り付け部の各々を、前記メディアカートリッジの回転の中心から等しい位置に配置することを特徴とする。
【００３０】
請求項１７に記載のメディアカートリッジは、４個の前記取り付け部を備え、前記取り付け部を等しく前記メディアカートリッジの中心に対し９０度毎に配置することを特徴とする。
【００３１】
請求項１８に記載のメディアカートリッジは、各前記取り付け部に、前記ディスクドライブの識別手段によって各前記取り付け部を一意に識別する情報を示す識別部を設けたことを特徴とする。
【００３２】
請求項１９に記載のメディアカートリッジは、各前記識別部は、複数の端子を組み合わせて構成されることを特徴とする。
【００３３】
請求項２０に記載のメディアカートリッジは、各前記識別部は、前記ディスクドライブの識別手段によって光学的に読み取って前記取り付け部を識別するための所定のパターンから構成されることを特徴とする。
【００３４】
請求項２１に記載のメディアカートリッジは、前記識別部は、各前記取り付け部を個別に識別する情報を前記メディアカートリッジの面上に設けた物理的形状によって構成したことを特徴とする。
【００３５】
請求項２２に記載のメディアカートリッジは、前記小型記憶媒体を、スマートメディアとすることを特徴とする。
【００３６】
【発明の実施の形態】
以下、本発明の好適な実施の形態について図面を参照して詳細に説明する。
【００３７】
図１から図３に、本発明の一実施の形態によるディスクドライブシステムの構成を示す。本実施の形態によるディスクドライブシステムは、ＣＤ−ＲＯＭ等の光ディスクの読み書きとスマートメディアの読み書きの両方を行なうことができるディスクドライブ１０と、複数のスマートメディアを実装することのできる光ディスクと同サイズのメディアカートリッジ２０とからなる。
【００３８】
図１のように、ディスクドライブ１０は、ドライブ本体１２に対して出し入れ可能なトレー部１１に、ＣＤ−ＲＯＭ等の光ディスクのディスク回転軸１３と、光ディスクのアクセス（読み書き又は読み込み）を行なう光ディスクアクセス部１４と、メディアカートリッジ２０に装着したスマートメディア３０のアクセス（読み書き又は読み込み）を行なうスマートメディアアクセス部１５と、メディアカートリッジ２０に装着したスマートメディア３０の認識を行なうメディア認識センサ１６と、上記スマートメディア２０の位置決めをするためのメディア位置決め部１７と、ディスク押さえ部１８を備える。
【００３９】
メディアカートリッジ２０は、図２及び図３に示すように、光ディスクと同サイズの中心にディスク回転軸１３に嵌る軸孔２１ａを有するカートリッジ本体２１に、スマートメディア取り付け部２２ａ〜２２ｄと、メディア位置決定用つめ２３ａ〜２３ｄと、メディア認識用端子２４ａ〜２４ｄを設けて構成される。
【００４０】
スマートメディア取り付け部２２ａ〜２２ｄは、メディアカートリッジ２０の表面に図４に示すスマートメディア３０を嵌め込んで装着することのでき凹部を形成してなり、その形状はスマートメディア３０の外形状に適合させてある。
【００４１】
このスマートメディア取り付け部２２ａ〜２２ｄは、メディアカートリッジ２０上に４箇所形成されている。
【００４２】
ここで、装着されるスマートメディア３０は、図４に示すように、外形が略四角形で一部に切り欠き３２が設けられ、その表面にデータアクセスを行なうためのコンタクトエリア３１が配置されている。このスマートメディア３０の構成は、一般的に使用されているものである。
【００４３】
また、上記スマートメディア取り付け部２２ａ〜２２ｄの上縁の複数箇所には、装着したスマートメディア３０を外れないように固定する突起２６が設けられている。スマートメディア取り付け部２２ａ〜２２ｄにスマートメディア３０を装着する際には、その突起２６を乗り越えるようにスマートメディア３０を押し込む。
【００４４】
上記スマートメディア取り付け部２２ａ〜２２ｄには、装着したスマートメディア３０のコンタクトエリア３１を裏側に露出させる開口部２５がそれぞれ形成されている。
【００４５】
スマートメディア取り付け部２２ａ〜２２ｄに装着されたスマートメディア３０は、この開口部２５を通してスマートメディアアクセス部１５がコンタクトエリア３１に接触することにより、データの読み書きが実行される。
【００４６】
メディアカートリッジ２０の裏面には、図３に示すように、メディア位置決め用つめ２３ａ〜２３ｄが、スマートメディア取り付け部２２ａ〜２２ｄ近傍に対応させて設けられている。また、スマートメディア取り付け部２２ａ〜２２ｄの裏側には、それぞれドライブ認識用端子２４ａ〜２４ｄが設けられている。
【００４７】
上記メディア位置決め用つめ２３ａ〜２３ｄの何れかが、ディスクドライブ１０のトレー部１１に設けたメディア位置決め部１７で検出されることにより、装着したスマートメディア３０がスマートメディアアクセス部１５に対して位置決めされる。
【００４８】
メディア位置決め用つめ２３ａ〜２３ｄは、図６に示すように、メディアカートリッジ２０の裏面から突出した状態で取り付けられている。また、トレー部１１のメディア位置決め部１７は、図６に示すように、メディア位置決め用つめ２３ａ〜２３ｄが嵌り込む凹部１７ｂ内にメディア位置決め用つめ２３ａ〜２３ｄによる接触を検知するマイクロスイッチ１７ａを配置した構成となっている。
【００４９】
また、ドライブ認識用端子２４ａ〜２４ｄの何れかが、上記トレー部１１のメディア認識センサ１６で検知されて位置決めされたスマートメディア３０が認識される。
【００５０】
ドライブ認識用端子２４ａ〜２４ｄは、図１１に示すように、マイナス端子１つとプラス端子２つの組み合わせから構成され、ドライブ認識センサ１６が電気的に接触した時の電流の流れからの組み合わせで、スマートメディア取り付け部２２ａ〜２２ｄのスマートメディア３０の何れがスマートメディアアクセス部１５の位置に位置決め選択されているかが判定される。
【００５１】
上記スマートメディアアクセス部１５は、トレー部１１に対して上下動可能に設けられている。また、図１０に示すように、その上面には、スマートメディア３０のコンタクトエリア３１に接触してデータの読み書きを行なうスマートメディアアクセス端子１５ａが配置され、その近傍にメディア認識センサ１６が配置されている。
【００５２】
ディスクドライブ１０のディスク押さえ部１８は、ドライブ本体１２に上下動可能に設けられており、位置決めされたスマートメディア３０を所定の力でスマートメディアアクセス部１５側に押し付けることができるようになっている。
【００５３】
次いで、上記のように構成される本実施の形態によるディスクドライブシステムの動作について説明する。
【００５４】
光ディスクもしくはメディアカートリッジ２０をトレー部１１にセットし、トレー部１１を閉めると、光ディスクアクセス部１４が、光ディスクが挿入されたのかどうかを確認する。
【００５５】
そして、光ディスクを検知した場合光ディスクモードに、光ディスクを検知できない場合にスマートメディアモードに設定される。
【００５６】
光ディスクモードの場合は、挿入された通常の光ディスクに対して光ディスクアクセス部１４によりデータの読み書きが行なわれる。
【００５７】
スマートメディアモードの場合、すなわちメディアカートリッジ２０が挿入された場合には以下のように動作する。
【００５８】
まず、回転速度がスマートメディアカートリッジ２０用の回転速度（光ディスクの場合より低速）に設定される。
【００５９】
このとき、図６に示すように、メディア位置決め部１７内のマイクロスイッチ１７ａはオフの状態になっているが、メディアカートリッジ２０が回転して、図７のように、メディア位置決定用つめ２３ａ〜２３ｄがメディア位置決め部１７内に嵌り込み、マイクロスイッチ１７ａに接触することで、マイクロスイッチ１７ａがオン状態となる。
【００６０】
マイクロスイッチ１７ａがオンになったことによって、メディアカートリッジ２０の回転が停止する。これらの動作によって、図８に示すようにメディアカートリッジ２０に装着したスマートメディア３０を、スマートメディア用アクセス部１５の位置に合わせることができる。
【００６１】
位置決めがされた後に、図９に示すように、スマートメディア用アクセス部１５とディスク押さえ部１８が両側から移動して、スマートメディア３０をメディアカートリッジ２０ごと挟み込むように固定する。
【００６２】
このとき、図１０に示す、スマートメディアアクセス用端子１５ａとドライブ認識センサ１６が、スマートメディア３０のコンタクトエリア３１とメディアカートリッジ２０のドライブ認識用端子２４ａ〜２４ｄに電気的に接触する。
【００６３】
ドライブ認識センサ１６が、ドライブ認識用端子２４ａ〜２４ｄに接触することにより、接触した時の電流の流れからの組み合わせに従って、スマートメディア取り付け部２２ａ〜２２ｄのスマートメディア３０の何れが位置決め選択されているかが判定される。
【００６４】
そして、スマートメディアアクセス部１５のスマートメディアアクセス用端子１５ａによってスマートメディア３０に対するデータの読み書きが行なわれる。
【００６５】
また、他のスマートメディア３０にアクセスする場合には、メディアカートリッジ２０を回転させて他のスマートメディア取り付け部２２ａ〜２２ｄに装着されている他のスマートメディア３０を、上記と同様に位置決めしてアクセスを行なう。
【００６６】
以上の機構により、４枚のスマートメディア３０を同時にアクセス可能なスマートメディアチェンジャが実現される。
【００６７】
なお、上述した実施の形態では、ドライブ認識センサ１６がドライブ認識用端子２４ａ〜２４ｄに電気的に接触することによって、スマートメディア取り付け部２２ａ〜２２ｄのスマートメディア３０の何れが位置決めされているかを判定する構成としたが、その他、図１２に示すように、メディアカートリッジ２０側にドライブ認識用端子の代わりに複数の突起を組み合わせたドライブ認識用突起部２７を設け、ディスクドライブ１０側にこのドライブ認識用突起部２７の組み合わせを機械的な接触で識別する接触センサ１６ａを設けて構成することも可能である。
【００６８】
さらに、図１３に示すように、メディアカートリッジ２０側にドライブ認識用端子の代わりにバーコード等のドライブ認識用パターン２８を設け、ディスクドライブ１０側にこのドライブ認識用パターン２８を光学的に読み取って識別する光学センサ１６ｂを設けて構成することも可能である。バーコード等のパターン以外に、文字等を光学的に読み取って認識することも可能である。
【００６９】
また、メディアカートリッジ２０のスマートメディア取り付け部２２ａ〜２２ｄの開口部を、コンタクトエリア３１の部分が露出するだけでなく、図１４に示すように、スマートメディア３０の全体が露出する開口部２５ａとすれば、指をコンタクトエリア３１に直接触れることなく、スマートメディア取り付け部２２ａ〜２２ｄからスマートメディア３０を着脱することができるようになる。
【００７０】
また、上記実施の形態では、ディスクドライブ１０のトレー部１１にスマートメディアアクセス部１５が設けられているが、スマートメディアアクセス部１５がトレー部１１ではなくドライブ本体１２側に設けることもできる。
【００７１】
また、トレー式のディスクドライブに限らず、クラムシェル方式のディスクドライブにも適用することができる。
【００７２】
ディスクドライブ１０としては、ＣＤ−ＲＯＭドライブ、ＣＤ−Ｒドライブ、ＣＤ−Ｒ／ＲＷドライブ、ＤＶＤ−ＲＯＭドライブ、ＤＶＤ−ＲＡＭドライブ、ＰＤドライブ等のドライブを対象とする。
【００７３】
さらに、上記実施の形態では、メディアカートリッジ２０にセットできるスマートメディアを４枚としているが、４枚以下とすることも可能であるし、物理的に許容されれば４枚以上をセットすることもできる。
【００７４】
以上、好ましい実施の形態をあげて本発明を説明したが、本発明は必ずしも上記実施の形態に限定されるものではない。
【００７５】
【発明の効果】
以上説明したように本発明のディスクドライブシステムによれば、スマートメディアの読み書き機能をディスクドライブ内に組み込むことによって、ディスクドライブ分のスペースで光ディスクメディア、スマートメディアの両方をアクセスできるようになるので、パソコン等の情報機器での装置搭載スペースを小さくできる。
【００７６】
また、スマートメディア用のカートリッジに複数枚のスマートメディアを搭載できるようにすることによって、スマートメディアチェンジャーの機能を実現しているので、複数のスマートメディアを同時に扱うことができ効率的な利用が可能となる。
【図面の簡単な説明】
【図１】本発明の好適な実施の形態によるディスクドライブシステムの斜視図である。
【図２】本発明の好適な実施の形態によるメディアカートリッジの表面の斜視図である。
【図３】本発明の好適な実施の形態によるメディアカートリッジの裏面の斜視図である。
【図４】スマートメディアの外観を示す図である。
【図５】本発明の好適な実施の形態によるメディアカートリッジに、スマートメディアを装着した状態を示す断面図である。
【図６】本発明の好適な実施の形態におけるメディアカートリッジの位置決めの動作を説明する図である。
【図７】本発明の好適な実施の形態におけるメディアカートリッジの位置決めの動作を説明する図である。
【図８】本発明の好適な実施の形態におけるスマートメディアが、スマートメディアアクセス部に位置決めされた状態を示す図である。
【図９】本発明の好適な実施の形態におけるスマートメディアをカートリッジごと挟み込んだ状態を示す図である。
【図１０】本発明の好適な実施の形態におけるスマートメディアアクセス部の平面図である。
【図１１】本発明の好適な実施の形態におけるメディアカートリッジのドライブ認識用端子の形状を示す図である。
【図１２】メディアカートリッジに装着されたスマートメディアの認識を機械的に行なうための他の構成を示す図である。
【図１３】メディアカートリッジに装着されたスマートメディアの認識を光学的に行なうための他の構成を示す図である。
【図１４】スマートメディアの他の構成例を示す図である。
【符号の説明】
１０  ディスクドライブ
１１  トレー部
１２  ドライブ本体
１３  ディスク回転軸
１４  光ディスクアクセス部
１５  スマートメディアアクセス部
１６  メディア認識センサ
１７  メディア位置決め部
１７ａ  マイクロスイッチ
１８  ディスク押さえ部
２０  メディアカートリッジ
２２ａ〜２２ｄ  スマートメディア取り付け部
２３ａ〜２３ｄ  メディア位置決め用つめ
２４ａ〜２４ｄ  ドライブ認識端子
２５  開口部
３０  スマートメディア
３１  コンタクトエリア
１６ａ  接触センサ
１６ｂ  光学センサ
２７  ドライブ認識用突起部
２８  ドライブ認識用パターン
【図１】
0003601686.tif 000002
【図２】
0003601686.tif 000003
【図３】
0003601686.tif 000004
【図４】
0003601686.tif 000005
【図５】
0003601686.tif 000006
【図６】
0003601686.tif 000007
【図７】
0003601686.tif 000008
【図８】
0003601686.tif 000009
【図９】
0003601686.tif 000010
【図１０】
0003601686.tif 000011
【図１１】
0003601686.tif 000012
【図１２】
0003601686.tif 000013
【図１３】
0003601686.tif 000014
【図１４】
0003601686.tif 000015